【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
表示状態が変化可能な可変表示装置を有し、該可変表示装置の表示結果が予め定められた特定の表示態様の組合せとなったときに、遊技者に有利な特定遊技状態に制御可能な遊技機であって、
所定条件の成立により前記遊技機を前記可変表示装置を可変開始させた後表示結果を導出表示させるまでの可変表示期間を短縮する変動時間短縮制御が行なわれる特別遊技状態に制御する遊技制御手段と、
前記可変表示装置を可変開始させた後表示結果を導出表示させる制御を行なう可変表示制御手段と、
前記特定遊技状態を発生させるか否かを事前に決定するためのランダムカウンタとを含み、
前記可変表示制御手段は、前記ランダムカウンタの値に基づいて前記特定遊技状態を発生させることが決定されたときに、前記可変表示装置の可変表示期間が通常状態での可変表示期間より長くなるリーチ状態の表示を行ない、さらに、
前記遊技機は、
前記ランダムカウンタの値に基づいて前記特定遊技状態を発生させないことが決定されたときに、前記リーチ状態と同様の表示態様の表示である外れリーチ状態の表示を行なうか否かを決定するための外れリーチ表示決定ランダムカウンタを含み、
前記可変表示制御手段は、前記遊技機が前記特別遊技状態に制御されているときであって、前記ランダムカウンタの値に基づいて前記特定遊技状態を発生させないことが決定されたときに、前記外れリーチ表示決定ランダムカウンタを用いて前記外れリーチ状態の表示を行なうことを決定する確率を下げる処理手段を含むことを特徴とする、遊技機。
【請求項２】
前記処理手段は、前記外れリーチ表示決定ランダムカウンタのとり得る範囲を大きくするとともに、前記外れリーチ状態の表示を行なうことを決定する値の個数は前記遊技機が前記特別遊技状態に制御されていないときと同様とすることにより、前記外れリーチ状態の表示を行なうことを決定する確率を下げることを特徴とする、請求項１に記載の遊技機。
【請求項３】
前記処理手段は、前記外れリーチ表示決定ランダムカウンタのとり得る範囲を前記遊技機が前記特別遊技状態に制御されていないときと同様とするとともに、前記外れリーチ状態の表示を行なうことを決定する値の個数を前記遊技機が前記特別遊技状態に制御されていないときより少なくすることにより、前記外れリーチ状態の表示を行なうことを決定する確率を下げることを特徴とする、請求項１に記載の遊技機。
【手続補正２】
【補正対象書類名】明細書
【補正対象項目名】０００８
【補正方法】変更
【補正の内容】
【０００８】
【課題を解決するための手段】
請求項１に記載の本発明は、表示状態が変化可能な可変表示装置を有し、該可変表示装置の表示結果が予め定められた特定の表示態様の組合せとなったときに、遊技者に有利な特定遊技状態に制御可能な遊技機であって、
所定条件の成立により前記遊技機を前記可変表示装置を可変開始させた後表示結果を導出表示させるまでの可変表示期間を短縮する変動時間短縮制御が行なわれる特別遊技状態に制御する遊技制御手段と、
前記可変表示装置を可変開始させた後表示結果を導出表示させる制御を行なう可変表示制御手段と、
前記特定遊技状態を発生させるか否かを事前に決定するためのランダムカウンタとを含み、
前記可変表示制御手段は、前記ランダムカウンタの値に基づいて前記特定遊技状態を発生させることが決定されたときに、前記可変表示装置の可変表示期間が通常状態での可変表示期間より長くなるリーチ状態の表示を行ない、さらに、
前記遊技機は、
前記ランダムカウンタの値に基づいて前記特定遊技状態を発生させないことが決定されたときに、前記リーチ状態と同様の表示態様の表示である外れリーチ状態の表示を行なうか否かを決定するための外れリーチ表示決定ランダムカウンタを含み、
前記可変表示制御手段は、前記遊技機が前記特別遊技状態に制御されているときであって、前記ランダムカウンタの値に基づいて前記特定遊技状態を発生させないことが決定されたときに、前記外れリーチ表示決定ランダムカウンタを用いて前記外れリーチ状態の表示を行なうことを決定する確率を下げる処理手段を含むことを特徴とする。
【手続補正３】
【補正対象書類名】明細書
【補正対象項目名】０００９
【補正方法】変更
【補正の内容】
【０００９】
請求項２に記載の本発明は、請求項１に記載の発明の構成に加えて、前記処理手段は、前記外れリーチ表示決定ランダムカウンタのとり得る範囲を大きくするとともに、前記外れリーチ状態の表示を行なうことを決定する値の個数は前記遊技機が前記特別遊技状態に制御されていないときと同様とすることにより、前記外れリーチ状態の表示を行なうことを決定する確率を下げることを特徴とする。
【手続補正４】
【補正対象書類名】明細書
【補正対象項目名】００１０
【補正方法】変更
【補正の内容】
【００１０】
請求項３に記載の本発明は、請求項１に記載の発明の構成に加えて、前記処理手段は、前記外れリーチ表示決定ランダムカウンタのとり得る範囲を前記遊技機が前記特別遊技状態に制御されていないときと同様とするとともに、前記外れリーチ状態の表示を行なうことを決定する値の個数を前記遊技機が前記特別遊技状態に制御されていないときより少なくすることにより、前記外れリーチ状態の表示を行なうことを決定する確率を下げることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
【作用】
請求項１に記載の本発明によれば、遊技制御手段の働きにより、所定条件の成立により遊技機が、可変表示装置を可変開始させた後表示結果を導出表示させるまでの可変表示期間を短縮する変動時間短縮制御が行なわれる特別遊技状態に制御される。可変表示制御手段の働きにより、可変表示装置を可変開始させた後表示結果を導出表示させる制御が行なわれる。ランダムカウンタの働きにより、特定遊技状態を発生させるか否かが事前に決定される。可変表示制御手段のさらなる働きにより、ランダムカウンタの値に基づいて特定遊技状態を発生させることが決定されたときに、可変表示装置の可変表示期間が通常状態での可変表示期間より長くなるリーチ状態の表示が行なわれる。遊技機が備える外れリーチ表示決定ランダムカウンタの働きにより、ランダムカウンタの値に基づいて特定遊技状態を発生させないことが決定されたときに、リーチ状態と同様の表示態様の表示である外れリーチ状態の表示を行なうか否かが決定される。可変表示制御手段が備える処理手段の働きにより、遊技機が特別遊技状態に制御されているときであって、ランダムカウンタの値に基づいて特定遊技状態を発生させないことが決定されたときに、外れリーチ表示決定ランダムカウンタを用いて外れリーチ状態の表示を行なうことを決定する確率が下げられる。
【手続補正８】
【補正対象書類名】明細書
【補正対象項目名】００１４
【補正方法】変更
【補正の内容】
【００１４】
請求項２に記載の本発明によれば、請求項１に記載の発明の作用に加えて次のように作用する。処理手段の働きにより、外れリーチ表示決定ランダムカウンタのとり得る範囲を大きくするとともに、外れリーチ状態の表示を行なうことを決定する値の個数は遊技機が特別遊技状態に制御されていないときと同様とすることにより、外れリーチ状態の表示を行なうことを決定する確率が下げられる。
【手続補正９】
【補正対象書類名】明細書
【補正対象項目名】００１５
【補正方法】変更
【補正の内容】
【００１５】
請求項３に記載の本発明によれば、請求項１に記載の発明の作用に加えて次のように作用する。処理手段の働きにより、外れリーチ表示決定ランダムカウンタのとり得る範囲を遊技機が特別遊技状態に制御されていないときと同様とするとともに、外れリーチ状態の表示を行なうことを決定する値の個数を遊技機が特別遊技状態に制御されていないときより少なくすることにより、外れリーチ状態の表示を行なうことを決定する確率が下げられる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】０１９８
【補正方法】変更
【補正の内容】
【０１９８】
【課題を解決するための手段の具体例の効果】
請求項１に関しては、遊技制御手段の働きにより、所定条件の成立により遊技機が、可変表示装置を可変開始させた後表示結果を導出表示させるまでの可変表示期間を短縮する変動時間短縮制御が行なわれる特別遊技状態に制御される。可変表示制御手段の働きにより、可変表示装置を可変開始させた後表示結果を導出表示させる制御が行なわれる。ランダムカウンタの働きにより、特定遊技状態を発生させるか否かが事前に決定される。可変表示制御手段のさらなる働きにより、ランダムカウンタの値に基づいて特定遊技状態を発生させることが決定されたときに、可変表示装置の可変表示期間が通常状態での可変表示期間より長くなるリーチ状態の表示が行なわれる。遊技機が備える外れリーチ表示決定ランダムカウンタの働きにより、ランダムカウンタの値に基づいて特定遊技状態を発生させないことが決定されたときに、リーチ状態と同様の表示態様の表示である外れリーチ状態の表示を行なうか否かが決定される。可変表示制御手段が備える処理手段の働きにより、遊技機が特別遊技状態に制御されているときであって、ランダムカウンタの値に基づいて特定遊技状態を発生させないことが決定されたときに、外れリーチ表示決定ランダムカウンタを用いて外れリーチ状態の表示を行なうことを決定する確率が下げられる。
【手続補正１３】
【補正対象書類名】明細書
【補正対象項目名】０１９９
【補正方法】変更
【補正の内容】
【０１９９】
請求項２に関しては、請求項１に関する効果に加えて、次のような効果が得られる。処理手段の働きにより、外れリーチ表示決定ランダムカウンタのとり得る範囲を大きくするとともに、外れリーチ状態の表示を行なうことを決定する値の個数は遊技機が特別遊技状態に制御されていないときと同様とすることにより、外れリーチ状態の表示を行なうことを決定する確率が下げられる。
【手続補正１４】
【補正対象書類名】明細書
【補正対象項目名】０２００
【補正方法】変更
【補正の内容】
【０２００】
請求項３に関しては、請求項１に関する効果に加えて、次のような効果を得ることができる。処理手段の働きにより、外れリーチ表示決定ランダムカウンタのとり得る範囲を遊技機が特別遊技状態に制御されていないときと同様とするとともに、外れリーチ状態の表示を行なうことを決定する値の個数を遊技機が特別遊技状態に制御されていないときより少なくすることにより、外れリーチ状態の表示を行なうことを決定する確率が下げられる。
【手続補正１５】
【補正対象書類名】明細書
【補正対象項目名】０２０１
【補正方法】削除
【補正の内容】
【手続補正１６】
【補正対象書類名】明細書
【補正対象項目名】０２０２
【補正方法】削除
【補正の内容】